(57)【特許請求の範囲】
【請求項１】
電気的な加熱手段を有する調理器本体と、該調理器本体に対してセットされ、上記加熱手段によって加熱されて所定の調理を行う主たる容器と、該主たる容器に対してセットされ、当該主たる容器に対する加熱力を利用して他の調理を行う調理器具とを備え、複数の調理メニューの調理を可能にするとともに、所定の調理メニューにおいて複数レベルの火力設定を可能としてなる調理器であって、上記所定の調理メニューの内の火力レベルの設定を異にする複数の調理の調理制御シーケンスは、何れの場合にも、調理開始後、調理タイマーが設定されるまでは、火力レベルを共通にする同一の制御内容で制御されるとともに、調理タイマーが設定されると、個々の調理の調理制御シーケンスに応じた加熱レベルの火力で制御されるようになっていることを特徴とする調理器。
【請求項２】
同一の制御内容の制御シーケンスが終了した場合には、各設定火力レベル毎の初期工程に戻るようにしたことを特徴とする請求項1記載の調理器。
【発明の詳細な説明】
【技術分野】
【０００１】
本願発明は、電気的な加熱手段を備えた調理器に関し、さらに詳しくは同一の調理メニューにおいて、強火、弱火等の異なる火力に設定できるようにした調理器の構成に関するものである。
【背景技術】
【０００２】
従来から、調理用途が異なる複数枚の鍋を備え、必要に応じて調理器本体に掛け替えて使用するようにした、いわゆるグリル鍋等の調理器がある（特許文献１を参照）。
【０００３】
また、これとは別に、ヒータ等の電気的な加熱手段を備えた調理器本体に対し、ヒータによって直接加熱される主たる鍋を中心として、それに種々の異なる調理用途に応じた調理器具を組み合わせることによって、おでん、ゆで卵、煮もの、蒸しもの等の多種類の調理を行えるようにした多用途型の調理器も存在する（特許文献２を参照）。
【先行技術文献】
【特許文献】
【０００４】
【特許文献１】特開２００５−３４２４１６号公報
【特許文献２】特開２００３−２６５３１４号公報
【発明の概要】
【発明が解決しようとする課題】
【０００５】
以上のような各種の用途に対した調理器の場合、その調理メニューの一例として、上述のように「蒸しメニュー」の調理を行えるようにしたものもある。
【０００６】
この「蒸しメニュー」には、例えば「バンバンジー」のように強火で調理する方が良いものと、「茶わん蒸し」のように、弱火の方が好ましいもの（弱火でないと玉子部分に巣ができてしまう）がある。
【０００７】
したがって、これら「蒸しメニュー」の調理を行う場合には、まず蒸しものスイッチをＯＮ操作して蒸しメニューを選択した後、その時の調理メニューの種類に応じて、最適な火力設定（強火／弱火の選択設定）を行う。
【０００８】
そして、これによりヒータがＯＮになり、やがて調理容器内の水が沸とうして蒸気が出始める。
【０００９】
そこで、この状態になると、ユーザーは蓋を取って調理容器内に所定の具材を入れることになる。
【００１０】
この場合、これまでの構成では、メニュー選択時の火力設定の段階で強火／弱火の何れかが設定されると、強火の場合には強火で、弱火の場合には弱火で昇温工程に入り、蒸気が出るまで当該設定された通りの火力で加熱を行う制御シーケンスとなっている。
【００１１】
したがって、強火メニューの場合は早期に蒸気が出るが、弱火メニューの場合には、最初から火力が弱いため、蒸気が出るようになるまでに長い時間がかかり、他の家事を同時に行っているようなユーザーにとっては、待ち時間が長く、具材投入のタイミングを失してしまうようなことも起こり得て、水が不足するケースも想定される。
【００１２】
本願発明は、以上のような問題を解決するためになされたもので、少なくとも蒸気が出るようになるまでは、強火メニュー／弱火メニューの何れであるかにかかわらず、常に強火で昇温、温調等を行ない、蒸気が出てユーザーが具材を投入したことなどが調理タイマーの設定により確認されると、その時点から初めてメニュー選択時に設定された火力に戻り、強火メニューは強火で、弱火メニューは弱火で昇温、温調工程に入るようにすることにより、弱火メニューの場合にも強火メニューの場合と全く同様に速やかに蒸気を発生させることができるようにした調理器を提供することを目的とするものである。
【課題を解決するための手段】
【００１３】
本願発明は、上記の目的を達成するために、次のような課題解決手段を備えて構成されている。
【００１４】
（１）  第１の課題解決手段
この発明の第１の課題解決手段は、電気的な加熱手段を有する調理器本体と、該調理器本体に対してセットされ、上記加熱手段によって加熱されて所定の調理を行う主たる容器と、該主たる容器に対してセットされ、当該主たる容器に対する加熱力を利用して他の調理を行う調理器具とを備え、複数の調理メニューの調理を可能にするとともに、所定の調理メニューにおいて複数レベルの火力設定を可能としてなる調理器であって、上記所定の調理メニューの内の火力レベルの設定を異にする複数の調理の調理制御シーケンスは、何れの場合にも、調理開始後、調理タイマーが設定されるまでは、火力レベルを共通にする同一の制御内容で制御されるとともに、調理タイマーが設定されると、個々の調理の調理制御シーケンスに応じた加熱レベルの火力で制御されるようになっていることを特徴としている。
【００１５】
上記所定の調理メニューが、例えば強火力レベルが必要なバンバンジーや弱火力レベルが適した茶わん蒸し調理などの蒸し調理メニューであるような場合、その調理開始から蒸気発生までの調理制御シーケンスをそれぞれ個別に設定すると、調理開始後、蒸気が発生するようになるまでの時間が大きく相違し、種々の不都合を生じる。
【００１６】
そこで、上記のように、そのような火力レベルの設定を異にする複数種の調理の調理メニューの調理制御シーケンスにおいて、その何れの調理にあっても、少なくとも調理開始後、蒸気が発生するようになったと判断しうる調理タイマーが設定されるまでの間は、強火力等火力レベルを共通にする同一の制御内容で制御し、速やかに蒸気が発生するようにするとともに、具材等が投入され、調理タイマーが設定されると、初めて個々の調理の調理制御シーケンスに応じた加熱レベルの火力で制御するようにする。
【００１７】
このようにすると、弱火力レベルでの調理メニューが選択されているときにも、調理の出来栄えに影響しない蒸気発生時までは、各調理に共通な強火力で速やかに加熱することが可能になる。
【００１８】
その結果、茶わん蒸し等の弱火力での調理しか行えない料理の場合にも、蒸気発生、具材投入までの待ち時間を可及的に短くし、トータルの調理時間を短縮することが可能となる。また、ユーザーにとって、具材投入時期の判断も容易になる。
【００１９】
さらに、調理開始後、蒸気発生までの工程の制御プログラムが共通となり、別々の内容の異なる制御プログラムとする場合に比べて、プログラム自体も簡素化することができ、低コスト化が可能となる。
【００２０】
（２）  第２の課題解決手段
この発明の第２の課題解決手段では、上記第１の課題解決手段において、同一の制御内容の制御シーケンスが終了した場合には、各設定火力レベル毎の初期工程に戻るようにしたことを特徴としている。
【００２１】
このような構成にした場合、当該初期工程への復帰制御シーケンス自体も設定火力に関係なく共通にすることができ、強火力のみを蒸気発生工程から以後の工程に継続させる個別制御シーケンスにする場合に比べて、やはり制御プログラムが簡素化される。
【発明の効果】
【００２２】
以上の結果、本願発明によると、蒸しメニュー調理に適した、高機能で、使い勝手の良い調理器を提供することが可能になる。
【図面の簡単な説明】
【００２３】
【図１】本願発明の実施の形態にかかる調理器の全体的な構成を示す正面上方側から見た斜視図である。
【図２】同調理器の操作パネル部の正面図である。
【図３】同調理器の深鍋使用時の構成を示す前後方向中央部の切断断面図である。
【図４】同調理器の蒸しプレート使用時の構成を示す前後方向中央部の切断断面図である。
【図５】同調理器の揚げガード使用時の構成を示す前後方向中央部の切断断面図である。
【図６】同調理器の制御回路を示すブロック図である。
【図７】同調理器の「蒸しメニュー調理」の制御内容を示すフローチャートである。
【図８】同調理器の「蒸しメニュー調理」の制御内容を示すタイムチャートである。
【発明を実施するための形態】
【００２４】
先ず図１〜図８は、本願発明の実施の形態に係る調理器の構成と作用をそれぞれ示している。
【００２５】
（調理器本体の基本的な構成）
図１および図２は、同調理器本体の概観的な構成を、図３〜図５は、同調理器本体の深鍋、蒸しプレート、揚げガードを使用した各々の使用形態を、図６は、同調理器本体の制御回路の構成を示している。
【００２６】
この実施の形態の調理器は、ヒータプレート１３を備えた調理器本体Ａと該調理器本体Ａの上に載置されてヒータプレート１３により直接加熱される深鍋１を中心として、所望に組み合わされる蒸しプレート２、揚げガード３等の複数の調理器具とからなっている。
【００２７】
調理器本体Ａは、上方側が開いた有底角筒状の合成樹脂製の本体ケース１１の底部に金属製の遮熱板１２を介して円形のヒータプレート１３を設置して構成されている。ヒータプレート１３の外周部内には、ヒータ１４が埋め込まれており、このヒータ１４が発熱することによりヒータプレート１３の温度が上昇して、その上面側に載置された深鍋１を加熱する。
【００２８】
ヒータプレート１３の中心部分には、上方から下方に貫通して底センサ嵌装孔が形成されており、該底センサ嵌装孔内に下方から上方側にバネ付勢された状態で底センサ１５が昇降自在に嵌装されている。
【００２９】
そして、その上端側センサ面を深鍋１の底面１ａに伝熱性良く圧接することにより、深鍋１内の水や煮物、また油などの温度を検出して後述するマイコン制御ユニット３０に入力する。
【００３０】
一方、外ケース１１の正面側下部寄り位置には、図１、図２に示すように、液晶等の表示部１８を備えたボックス構造の操作パネル部１９が設けられている。
【００３１】
この実施の形態の調理器は、例えば（１）煮もの、（２）焼もの、（３）鍋もの、（４）揚げもの、（５）蒸しもの、の少なくとも５種類の調理を行う機能を備えており、それらの各機能を選択することができるように、例えば煮ものスイッチ２１、焼ものスイッチ２２、鍋ものスイッチ２３、揚げものスイッチ２４、蒸しものスイッチ２５が設けられている。
【００３２】
そして、それらの何れかが選択されてＯＮ操作されると、対応する調理メニューの調理制御シーケンスがマイコンにより選択設定されて調理が行われるが、その際に、具体的な調理メニューに応じて、またユーザーの好みに応じて所定の火力レベル、例えば（ａ）強火、（ｂ）中火、（ｃ）弱火の複数段階の火力レベルの調節が行えるようになっている。
【００３３】
この火力調節は、当該メニューの操作スイッチをメニュー選択の後に操作することによってなされ、同メニュースイッチを１回押すと（ａ）強火、もう１回押すと（ｂ）中火、さらにもう１回押すと（ｃ）弱火に設定されるようになっており、表示部１８の所に三角形状の指示マーカー２６で表示されるようになっている。
【００３４】
なお、この実施の形態の場合、蒸しものの場合には、（ａ）強火と（ｃ）弱火との２段階のみの選択セットが可能となっており、（ｂ）の中火はセットされないようになっている。
【００３５】
また、この実施の形態の場合、調理タイマー機能が具備されており、例えば（１）煮ものと（５）蒸しものの場合には、例えば煮もの１分〜１２０分、（５）蒸しもの１分〜４０分の範囲で加熱調理の時間が設定できるようになっている。そのための調理タイマースイッチ２７も設けられており、同スイッチ２７により加熱調理時間が設定されると、設定された時間が表示部１８に数字で表示される。
【００３６】
さらに、以上の各種設定を取り消したい場合、取消スイッチ２８を押して取り消し、再設定することも可能である。
【００３７】
他方、深鍋１は、図３〜図５に示すように、外ケース１１と同様に全体として有底の丸角筒構造に形成されており、直接調理器本体Ａ内のヒータプレート１３上に設置して使用され、それ単体として例えば図３に示すように煮もの用の鍋として使用される場合には、その上部側開口部に直接蓋４が冠合される。
【００３８】
すなわち、深鍋１は、上部側開口部周縁に、所定の幅のリブ構造のフランジ部１ｂとその内周側の蓋等係合用段部１ｃが形成されており、後者の蓋等係合用段部１ｃ部分に蓋４のフラットな外周縁部４ａ部分が係合されて安定した状態に蓋４が冠合されるようになっている。
【００３９】
また、上記フランジ部１ｂ部分には、その左右両側に位置して深鍋１を持ち運ぶ時の把手１ｄ，１ｄが取り付けられている。
【００４０】
蓋４は、上記外周縁部４ａより内側に所定幅の外周部分４ｂが耐熱性のある合成樹脂材、それよりも内側所定幅部分が耐熱性ガラス等の透明体部分４ｃとなっており、中央部の円柱体状の把手取付部４ｄが耐熱性の合成樹脂材となっている。透明体部分４ｃの内周側端部は、把手取付部４ｄ部中央に嵌装されて固定一体化されている。
【００４１】
そして、同把手取付部４ｄには、片手把持用の把手４ｅが少し外周方向上方に伸びる状態で一体に成型されている。
【００４２】
また、上記把手取付部４ｄ部分には、深鍋１内から外部に連通した蒸気排出孔５が設けられている。深鍋１内の沸とう時の蒸気および蒸気圧は、この蒸気排出孔５から排出される。
【００４３】
次に、この深鍋１には、例えば図４に示すように、蒸しプレート（蒸し鍋）２が組み合わせて使用され、これによって上述した「蒸しメニュー」調理を行うことができる。
【００４４】
この蒸しプレート２は、全体として深鍋同様の形状をしており、その上端側開口部には、同様の形状、寸法で、リブ構造のフランジ部２ｂ、蓋係合段部２ｃが設けられており、上述の蓋４が全く同様に冠合される。また、把手２ｄ，２ｄも設けられている。
【００４５】
しかし、一方その筒状の側壁部の所定高さ位置には、深鍋１の蓋係合段部１ｃ部分に係合する係合段部２ｅが設けられており、図４のように深鍋１の底部１ａと底部２ａ間に所定の上下高さの水留め用の空間を保った状態で深鍋１内に嵌合されて支持される。そして、蒸しプレート２の底部２ａ部分には、多数の蒸気穴２ｆ，２ｆ・・・が形成されている。
【００４６】
したがって、上記深鍋１底部１ａ上の水留め空間中に留められた水Ｗがヒータプレート１３からの熱により加熱されて沸とうすると、該沸とうによる高温の蒸気が蒸しプレート２の底部２ａの蒸気穴２ｆ，２ｆ・・・から蒸しプレート２内に侵入して、蒸しプレート２内の蒸し調理物を蒸し上げる。
【００４７】
さらに、上記深鍋１内に、例えば図５に示すように、揚げもの用の天ぷら油Ｏを入れると、串あげ等の揚げものの調理を行うこともできる。
【００４８】
この場合、調理物を入れた時に油Ｏが飛び散るので、これを防止するために、図示のような筒状の揚げガード３を組み合わせて使用する。
【００４９】
この揚げガード３は、その筒体部３ａの天板３ｂ側の内周部に外径よりも所定寸法幅が小さい開口部３ｃを形成するとともに、下端側開口部外周のフランジ部３ｄを上記深鍋１側開口部の蓋等係合用段部１ｃ上に係合したものとなっている。
【００５０】
このような構成の場合、深鍋１の開口部の開口径に比べて揚げガード３の開口部３ｃの径が小さく、しかも高さも高くなっており、残された天板３ｂ部分が油面開口面部の覆い部となるので、油の飛び散りが確実に阻止される。
【００５１】
この揚げガード３の開口面部分には、揚げ網が掛け渡され（セットされ）る。
【００５２】
（制御回路部分の概略的な構成）
次に図６は、本実施の形態の調理器の制御回路の構成を示している。
【００５３】
図中、符号３０は所定のビット数を有し、かつ所定の容量のメモリ（ＲＡＭ）３５を備えたマイコン制御ユニットである。
【００５４】
このマイコン制御ユニット３０には、上述した各種操作スイッチ２１〜２７からの操作入力データ、底センサ１５の温度検出信号、サーモスタット３４の動作信号等が入力されるようになっている。
【００５５】
また、それら入力データに基いて処理した所定の表示データを表示部１８にマーク、数値など所望の形態で表示する。
【００５６】
また、マイコン制御ユニット３０は、ＡＣ電源回路３１を介したＡＣ電源をＤＣ電源に変換したマイコン電源回路３２の電源で動作し、上記操作スイッチ２１〜２６によって設定された調理メニュー、火力、調理時間に応じた調理シーケンスに基いて、ヒータ駆動回路３３を介してヒータ１４のＯＮ，ＯＦＦおよびＯＮ状態における加熱出力の制御を行う。
【００５７】
（蒸しメニュー選択時における調理制御シーケンス）
先にも述べたように、「蒸しメニュー」には、（イ）例えば「バンバンジー」のように強火で調理する方が良いものと、（ロ）「茶わん蒸し」のように、弱火の方が好ましいもの（弱火でないと玉子部分に巣ができてしまう）がある。
【００５８】
したがって、これら「蒸しメニュー」の調理を行う場合には、まず蒸しものスイッチ２５をＯＮ操作して蒸しメニューを選択した後、その時の調理メニューの種類に応じて、具体的に火力設定（強火／弱火の選択）を行う。
【００５９】
そして、これにより上記ヒータ１４がＯＮによなり、図８のタイムチャートの昇温工程１に入り、同昇温工程１から昇温工程２に進み、やがて深鍋１内の水が沸とうして蒸気が出始める。
【００６０】
蒸気が出始めると、上述した蓋４の透明部４ｃが曇り、蒸気排出孔５から蒸気が出るようになるので、ユーザーは容易に認識することができる。
【００６１】
そこで、この状態になった段階でユーザーは、蓋４を取って所定の具材を入れることになる。
【００６２】
ところで、この場合、従来の構成では、メニュー選択時の火力設定の段階で強火／弱火の何れかが設定されると、強火の場合には強火で、弱火の場合には弱火で昇温に入り、蒸気が出るまで当該設定された火力で加熱を行う制御シーケンスとなっている。
【００６３】
したがって、強火メニューの場合は早期に蒸気が出るが、弱火メニューの場合には、最初から火力が弱いため、蒸気が出るようになるまでに長い時間がかかり、他の家事を同時に行っているようなユーザーにとっては、待ち時間が長く、具材投入のタイミングを失してしまうようなことも起こり得て、水が不足するケースも想定される。
【００６４】
この実施の形態の制御シーケンスは、以上のような問題を解決するためになされたもので、少なくとも蒸気が出るようになるまでは、強火メニュー／弱火メニューの何れであるかにかかわらず、強火で昇温、温調等を行ない、蒸気が出てユーザーが具材を投入し、調理時間設定タイマーをセットしたことが確認されると、その時点から初めてメニュー選択時に設定された火力、すなわち強火メニューは強火、弱火メニューは弱火での昇温、温調工程に入るようにしている。
【００６５】
このようにすると、弱火メニューの場合にも強火メニューの場合と全く同様に速やかに蒸気を発生させるようにすることができ、ユーザーは具材投入の時機を逸することもなくなる。もちろん、トータルの調理時間も短縮される。
【００６６】
また、少なくとも蒸気発生までの制御プログラムの簡素化にもつながる。
【００６７】
なお、図８のタイムチャートは、蒸しメニュー加熱調理制御の昇温工程〜温調工程終了時までの基本特性を示すものであり、より具体的には、上記蒸し強火設定シーケンスと蒸し弱火設定シーケンスでは、個々の加熱出力、加熱時間、温調出力、温調時間が異なる。
【００６８】
しかし、以下に述べる制御では、それら個別の値を問題にする必要はないので、この基本特性を用いて共通に説明する。
【００６９】
以下、これらのことを前提として、同制御の内容について説明する。
【００７０】
すなわち、同制御開始後、まずステップＳ１で上述した各操作スイッチ２１〜２７の操作データを読み込む。
【００７１】
続いてステップＳ２で、今回選択された調理メニューが「蒸しメニュー」であるか否かの判定を行う。その結果、「蒸しメニュー」でない場合には、同制御を終える。
【００７２】
これに対して、選択された調理メニューが「蒸しメニュー」であった場合には、上記メニュー選択時になされた火力設定が強火であったか、弱火であったか、つまり選択された蒸し調理メニューが強火メニューであるか、弱火メニューであるかに関係なく、常にステップＳ３の蒸し強火での昇温工程（図８の昇温工程１，昇温工程２）に進み、同昇温工程での強火加熱制御を実行する。
【００７３】
この結果、速やかに蒸気が出るようになるので、次に実際に同蒸気が発生してユーザーが具材を投入し、それに対応して調理タイマーを設定したか否かを判定する（ステップＳ４）。
【００７４】
その結果、ＹＥＳの時は、ステップＳ５，Ｓ６の蒸し強火での温調工程、調理タイマー設定判定をジャンプして本来の火力設定が、蒸し強火であったか、蒸し弱火であったかの判定制御に進む（ステップＳ７）。
【００７５】
他方、蒸し強火での昇温工程（昇温工程１、昇温工程２）を経てもなお、調理タイマーの設定がなされなかった場合には、未だ蒸気が発生していないか、または蒸気は出ているが、ユーザーが調理タイマーを設定していないか、設定し忘れた可能性があるので、そのまま蒸し強火での温調工程（温調工程１、温調工程２）に進み（ステップＳ５）、再度蒸気発生、具材投入による調理タイマーの設定確認を行う（ステップＳ６）。
【００７６】
この結果、同温調工程の段階で、具材が投入され、調理タイマーが設定された場合には、上述のステップＳ４でＹＥＳの場合と同様にステップＳ７の本来の具体的なメニューに応じた設定火力の判定動作に進む。
【００７７】
他方、この温調工程の段階でも、今なお調理タイマーが設定されていない時は、ステップＳ１５に進んで、蒸し調理メニューに対応して予じめ設定されている所定のオートオフ時間（４０分）が経過しているか否かを判定し、同時間が経過していると判定された場合には、ステップＳ１１に進んでヒータ１４をＯＦＦにし、制御を終える（オートオフ制御）。
【００７８】
この実施の形態の場合、上述の如く、蒸し強火の場合はもちろん、蒸し弱火の場合にも、調理タイマーがセットされるまでは、蒸し強火の加熱制御が行われる。
【００７９】
したがって、通常の蒸しメニューで深鍋１内に入れられる水の量の場合、もし調理タイマーのセットを忘れたりすると、略４０分で蒸し水が蒸発して消失してしまうことになり、調理不能となる。
【００８０】
そこで、上記所定時間は、この４０分に設定されており、４０分経つと一旦オートオフして待機状態に戻し、新たな水の注入、調理開始を待つ。
【００８１】
これにより、深鍋１の底に水道水中のミネラル成分が付着することをも回避することができる。
【００８２】
他方、ＮＯの時は、上述したステップＳ３〜Ｓ６の動作を続けながら調理タイマーを使用しない蒸しメニュー調理を実行する。
【００８３】
一方、上記昇温工程又は温調工程の何れかで調理タイマーが設定された通常の場合には、上述のように、その後ステップＳ７で本来設定されていた火力が、強火であったか、または弱火であったかが判定される。
【００８４】
そして、その判定結果が強火であった場合には、同本来の火力・蒸し強火での昇温工程（昇温工程１）に戻り、蒸し強火での昇温工程（昇温工程１、昇温工程２）を実行する（ステップＳ８）。
【００８５】
また、同昇温工程での加熱が終了すると、さらに蒸し強火で温調工程（温調工程１、温調工程２）での温調加熱制御（一定温度での加熱制御）を実行する（ステップＳ９）。
【００８６】
そして、その後、ステップＳ１０に進んで、上記蒸気発生、具材投入に対応して以後の蒸し加熱時間を設定した調理タイマーの加熱設定時間が経過したか否かを判定し、ＹＥＳ（経過）と判定された時は調理終了であるから、ステップＳ１１に進んでヒータ１４をＯＦＦにして当該制御を終了する。
【００８７】
他方、ＮＯ（未経過）の時は、ステップＳ８〜Ｓ１０の加熱制御を継続する。
【００８８】
一方、上記判定結果が弱火であった場合には、同本来の火力・蒸し弱火での昇温工程（昇温工程１）に戻り、蒸し弱火での昇温工程（昇温工程１、昇温工程２）を実行する（ステップＳ１２）。
【００８９】
また、同昇温工程での加熱が終了すると、さらに蒸し弱火で温調工程（温調工程１、温調工程２）での温調加熱制御を実行する（ステップＳ１３）。
【００９０】
そして、その後、ステップＳ１４に進んで、上記蒸気発生、具材投入に対応して以後の蒸し加熱時間を設定した調理タイマーの加熱設定時間が経過したか否かを判定し、ＹＥＳ（経過）と判定された時は調理終了であるから、ステップＳ１１に進んでヒータ１４をＯＦＦにして当該制御を終了する。
【００９１】
他方、ＮＯ（未経過）の時は、ステップＳ８〜Ｓ１０の加熱制御を継続する。
【００９２】
以上のような構成の場合、調理開始後、蒸気が発生するまでの工程が、蒸し強火の場合と蒸し弱火の場合とで全く共通の制御となり、その分制御プログラムが簡素化される。
【００９３】
また、それら何れの場合においても、一旦蒸気が発生し、調理タイマーがセットされると、タイマーセット時の工程とは関係なく、必ず当該調理制御シーケンスの最初の加熱工程（図８の昇温工程１）に戻って以後の制御シーケンス（昇温工程２、温調工程１、温調工程２）を実行して行くようになっており、この点でも強火メニューの場合と弱火メニューの場合との制御プログラムを基本的に共通に形成している。
【００９４】
したがって、この点でも制御プログラムの簡素化が図られる。
【００９５】
（その他の実施の形態）
以上の実施の形態では、同一の調理メニューで、火加減を強弱２種に変えるケースとして、蒸しメニューの場合を例としたが、その他の調理メニューの場合にも強弱２種の火力設定を可能とした場合には、同様の制御が可能である。
【符号の説明】
【００９６】
１は深鍋、２は蒸しプレート、３は揚げガード、１４はヒータ、３０はマイコン制御ユニット、Ａは調理器本体である。
【図１】
0005817325.tif 000002
【図２】
0005817325.tif 000003
【図３】
0005817325.tif 000004
【図４】
0005817325.tif 000005
【図５】
0005817325.tif 000006
【図６】
0005817325.tif 000007
【図７】
0005817325.tif 000008
【図８】
0005817325.tif 000009